(57)【特許請求の範囲】
【請求項１】
配線の端部の接続端子を上面にネジ回し工具用係合穴を有する端子ネジにより取付ける絶縁プラスチック製の端子台本体であって、
前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなり、この幅の中央にＶ溝を設けて折曲可能とした規制板に前記端子ネジの前記頭部の前記外周セレーションと一致する内周セレーションを形成した内周面を有する開口を設け、
前記側壁間に挿入した前記規制板の前記開口と前記端子ネジの前記頭部とが嵌合することを特徴とする端子台装置。
【請求項２】
配線の端部の接続端子を上面にネジ回し工具用係合穴を有する端子ネジにより取付ける絶縁プラスチック製の端子台本体であって、
前記端子台本体の長手方向に複数配置した前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなる複数の規制板のそれぞれに、前記端子ネジの前記頭部の外周セレーションと一致する内周セレーションを形成した内周面を有する開口を設けるとともに、前記規制板の幅より大きい幅の可撓性のある弾性体により複数の前記規制板を互いに連結し、前記弾性体が前記側壁に圧接するように前記側壁間に挿入した前記規制板のそれぞれの前記開口と複数の前記端子ネジの前記頭部とが嵌合することを特徴とする端子台装置。
【発明の詳細な説明】
【技術分野】
【０００１】  この発明は、配線の端部に備えた接続端子を取付ける端子台装置に関するものである。
【背景技術】
【０００２】  従来、端子ネジの緩みを防止するものとして、座金によるものが多数提案されている。一般的には座金をスプリンワッシャーにするとか、特許文献１のように座金の上面と下面のそれぞれに切り込みにより形成する突起をネジ穴とネジ頭部に係止してネジの緩みを防止するものがある。
【先行技術文献】
【特許文献】
【０００３】
【特許文献１】特開２００６−３００２９９号公報
【発明の概要】
【発明が解決しようとする課題】
【０００４】  特に、スプリングワッシャーによる場合は、バネ性を利用して緩みを防止するのでは、長期間使用しているとバネがへたり、バネ力による緩み止めの機能を果たさなくなる。また、特許文献１による場合は、ネジ穴とか、ネジ頭部に座金の突起を係止する凹部を設けることになり、この凹部の加工が必要で、しかも、組み付けに手間がかかるなどの問題があった。【０００５】  この発明は、以上のようなことを考慮してなされたもので、端子ネジのネジ穴に特別な加工を施すことなく、簡単な構造によって確実に緩みを防止でき、しかも、前記端子ネジの締め付け完了位置に係わりなく、組み付け作業を容易にすることを目的とする。
【課題を解決するための手段】
【０００６】  前記課題を解決し、かつ目的を達成するために、この発明は、以下のように構成した。【０００７】  請求項１に記載の発明は、配線の端部の接続端子を上面にネジ回し工具用係合穴を有する端子ネジにより取付ける絶縁プラスチック製の端子台本体であって、
前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなり、この幅の中央にＶ溝を設けて折曲可能とした規制板に前記端子ネジの前記頭部の前記外周セレーションと一致する内周セレーションを形成した内周面を有する開口を設け、
前記側壁間に挿入した前記規制板の前記開口と前記端子ネジの前記頭部とが嵌合することを特徴とする端子台装置である。【０００８】  請求項２に記載の発明は、配線の端部の接続端子を上面にネジ回し工具用係合穴を有する端子ネジにより取付ける絶縁プラスチック製の端子台本体であって、
前記端子台本体の長手方向に複数配置した前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなる複数の規制板のそれぞれに、前記端子ネジの前記頭部の外周セレーションと一致する内周セレーションを形成した内周面を有する開口を設けるとともに、前記規制板の幅より大きい幅の可撓性のある弾性体により複数の前記規制板を互いに連結し、前記弾性体が前記側壁に圧接するように前記側壁間に挿入した前記規制板のそれぞれの前記開口と複数の前記端子ネジの前記頭部とが嵌合することを特徴とする端子台装置である。
【発明の効果】
【００１２】  前記構成により、この発明は、以下のような効果を有する。【００１３】  請求項１に記載の発明では、配線の端部の接続端子を上面にネジ回し工具用係合穴を有する端子ネジにより取付ける絶縁プラスチック製の端子台本体であって、
前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなり、この幅の中央にＶ溝を設けて折曲可能とした規制板に前記端子ネジの前記頭部の前記外周セレーションと一致する内周セレーションを形成した内周面を有する開口を設け、
前記側壁間に挿入した前記規制板の前記開口と前記端子ネジの前記頭部とが嵌合するので、前記接続端子の保護のために前記端子ネジより先端を高くした前記側壁内に取付ける前記端子ネジが振動などで緩むことを確実に防ぎ、しかも、前記規制板を前記Ｖ溝に沿って折曲することにより、前記側壁の内面に前記規制板の上方への移動を阻止する突起などを設けても、この突起を避けて前記側壁の先端より低い位置の前記端子ネジに前記規制板の開口を容易に嵌合できる。また、前記接続端子の保護のために端子ネジより先端を高くした前記側壁内に取付ける前記端子ネジは、前記頭部の前記上面のネジ回し工具用係合穴により締付け操作できるとともに、頭部の外周面に外周セレーションを直接に形成しても前記端子ネジの締め付け完了位置に係わりなく、前記側壁間に挿入した前記規制板の内周セレーションを前記端子ネジの前記頭部の外周面の前記外周セレーションに嵌合でき、前記規制板の前記側壁間への組み付けが容易になる。【００１４】  請求項２に記載の発明では、配線の端部の接続端子を上面にネジ回し工具用係合穴を有する端子ネジにより取付ける絶縁プラスチック製の端子台本体であって、
前記端子台本体の長手方向に複数配置した前記端子ネジの頭部の外周面に外周セレーションを形成して非円形状とし、
前記端子台本体の基台から突出し、先端が前記端子ネジの前記上面より上方に位置する左右一対の側壁の間隔と略同じ幅よりなる複数の規制板のそれぞれに、前記端子ネジの前記頭部の外周セレーションと一致する内周セレーションを形成した内周面を有する開口を設けるとともに、前記規制板の幅より大きい幅の可撓性のある弾性体により複数の前記規制板を互いに連結し、前記弾性体が前記側壁に圧接するように前記側壁間に挿入した前記規制板のそれぞれの前記開口と複数の前記端子ネジの前記頭部とが嵌合するので、前記端子ネジの前記上面より先端を高くした前記側壁内に取付ける前記端子ネジが振動などで緩むことを確実に防ぎ、前記端子ネジ間の間隔寸法のズレを吸収でき、前記開口を前記端子ネジの前記頭部に嵌合させることが容易になる。しかも、前記弾性体が前記側壁に圧接するように前記側壁間に挿入した前記規制板の上方への移動が阻止され、前記規制板のそれぞれの前記開口と複数の前記端子ネジの前記頭部との嵌合する前記規制板の前記開口が前記端子ネジの前記頭部より抜け出難くなり、前記端子台本体の形状を変更することなく前記端子ネジのみの改造ですみ、緩み止めの対策にかける費用を削減できる。
【図面の簡単な説明】
【００１８】
【図１】この発明の端子台本体の第１の実施の態様を示す断面図。
【図２】図１における端子台本体の平面図。
【図３】この発明の規制板の第１の実施の態様を示す斜視図。
【図４】この発明の規制板を示し、（ａ）は図３のＡ−Ａ線による断面図、（ｂ）は図３のＢ−Ｂ線による断面図。
【図５】この発明の端子台本体の第２の実施の態様を示す断面図。
【図６】図４における端子台本体の平面図。
【図７】この発明の端子台本体の第３の実施の態様を示す断面図。
【図８】図７における端子台本体の平面図。
【図９】この発明の規制板の第３の実施の態様を示す斜視図。
【発明を実施するための形態】
【００１９】  以下、この発明の端子台装置の実施の形態について説明する。この発明の実施の形態は、発明の最も好ましい形態を示すものであり、この発明はこれに限定されない。
【００２０】  この発明の第１の実施の形態を、図１および図４に基づいて説明する。図１は端子台装置を実施した一例を示すもので、符号１で示されるものは端子台本体である。
【００２１】  前記端子台本体１は、絶縁プラスチック製よりなり、基台２と、この基台２より起立させた左右一対の側壁３、３を備え、配線の端部の接続端子４が端子ネジ５により前記基台２に取付けられる。前記端子ネジ５の頭部６の外周面に外周セレーション６ｃを形成して前記頭部６を非円形状とする。
【００２２】  前記端子ネジ５の前記頭部６の上面６ａには、十文字状のネジ回し具用穴６ｄが形成され、前記頭部６の座面６ｂには、前記端子台本体１の前記基台２に螺合するネジ部７を有する。なお、前記ネジ回し具用穴６ｄは一文字状、四角状、六角状にしてもよい。
【００２３】  前記接続端子４は前記ネジ部７を螺合することにより、前記基台２上の敷板８と前記座面６ｂ下の押し板９とで押圧し狭持する。このため、振動などにより前記ネジ部７が回り、前記端子ネジ５が緩むと、前記接続端子４が前記基台２から外れることになる。なお、１０は前記座面６ｂの下面に介在した座金である。
【００２４】  前記側壁３、３間には、この側壁３、３の間隔と略同じ幅Ｂよりなるプラスチックまたは板金製の規制板１１が挿入される。前記規制板１１には前記頭部６と同一形状の開口１１ａを設け、この開口１１ａの内周面に前記頭部６の外周面の前記外周セレーション６ｃと一致する内周セレーション１１ｂを形成して前記開口１１ａを前記頭部６に嵌合させる。
【００２５】  前記規制板１１を前記側壁３、３間に挿入して前記開口１１ａを前記端子ネジ５の前記頭部６に嵌合することにより前記ネジ部７が回り始めても、前記規制板１１の端面が前記側壁３、３に当接し、前記ネジ部７の回りが阻止されて前記端子ネジ５の緩みを防ぐ。
【００２６】  前記端子ネジ５の前記頭部６の前記外周面６ａの下側の角を削り窪み６ｅを形成し、この窪み６ｅに前記規制板１１の前記開口１１ａの内周面の下側に設けた突出縁１１ｃを係合させ、前記開口１１ａが前記端子ネジ５の前記頭部６より抜け出ることを阻止する。
【００２７】  前記規制板１１の裏面の前記幅Ｂの中央にＶ溝１１ｄを設け、このＶ溝１１ｄを折目として前記規制板１１を折り曲げ、前記規制板１１を前記側壁３，３間に挿入して、前記開口１１ａを前記頭部６に嵌合させる。なお、前記Ｖ溝１１ｄと同じようなＶ溝を前記Ｖ溝１１ｄに対して直角方向に設け、前記開口１１ａが前記頭部６に嵌合し易いようにしてもよい。
【００２８】  前記端子ネジ５の前記頭部６の上面６ａに形成された十文字状の前記ネジ回し具用穴６ｄに係合したネジ回し具（図示せず）によって、前記端子ネジ５を締め付け前記基台２に前記接続端子４を取付ける。
【００２９】  前記端子ネジ５の外周面が外周セレーション６ｃなので、前記端子ネジ４の締め付け完了位置に係わることなく、前記規制板１１を前記側壁３，３間に挿入して、前記頭部６の外周面の前記外周セレーション６ｃに前記規制板１１の前記内周セレーション１１ｂを嵌合でき、前記側壁３、３間への組み付けが簡単で、前記端子ネジ５の緩みを確実に防止できる。
【００３０】  次に、第２の実施の形態を、図５および図６に基づいて説明する。この実施の形態において第１の実施の形態と同じ構成は同一の符号を付して説明する。
【００３１】  この第２の実施の形態では、第１の実施の態様で説明した前記側壁３、３の内面に前記規制板１１の前記開口１１ａが前記頭部６より抜け出ないように阻止する突起３ａ、３ａを設けている。
【００３２】  前記側壁３、３間に前記規制板１１を挿入する際は、前記規制板１１を曲げるように変形させて前記突起３ａ、３ａを乗り越え前記開口１１ａを前記端子ネジ５の前記頭部６に嵌合させる。このため、前記突起３ａの突出高さを低くするとともに、前記規制板１１の板厚を薄くし曲げ変形し易くする。
【００３３】  また、前記突起３ａ、３ａを設けないで、前記端子ネジ５の前記頭部６の外周面に前記開口１１ａを圧入するようにして、前記開口１１ａが前記頭部６から抜け出ないようにしてもよい。
【００３４】  更に、第３の実施の形態を、図７および図９に基づいて説明する。この実施の形態において第１の実施の形態と同じ構成は同一の符号を付して説明する。
【００３５】  この第３の実施の形態では、第１の実施の態様で説明した前記端子台本体１の長手方向に一対の前記端子ネジ５、５を配置し、これらの前記端子ネジ５、５の頭部６、６の外周面に外周セレーション６ｃ、６ｃを形成して前記頭部６、６を非円形状とする。なお、前記外周セレーション６ｃ、６ｃは円周の数か所に形成してもよい。
【００３６】  前記頭部６、６のそれぞれには同一形状の開口１１ａ、１１ａを有する板金製の前記規制板１１、１１の各々が嵌合され、前記規制板１１、１１の一端を可撓性のある弾性体１２により連結する。これにより、前記端子ネジ５、５の間隔寸法のズレを吸収でき、前記開口１１ａ、１１ａを前記端子ネジ５、５の前記頭部６、６に嵌合させることが容易になる。なお、前記規制板１１、１１と前記弾性材１２とは、一体成型または接着により連結される。
【００３７】  また、前記規制板１１，１１を前記前記側壁３、３間に挿入した際、前記弾性体１２の幅Ｗを前記規制板１１の幅Ｂより若干大きくすると、前記弾性体１２が前記側壁３，３に圧接することになり、前記規制板１１の前記開口１１ａが前記頭部６より抜け出ないように阻止できる。
【００３８】  以上の構成における端子台装置では、前記基台２上の敷板８と前記座面６ｂ下の押し板９との間に前記接続端子４を挟持し、前記端子ネジ５を前記ネジ回し具用穴６ｄに係合したネジ回し具によって、前記端子ネジ５の前記ネジ部７を螺合することにより、前記端子ネジ５を締め付け前記基台２に前記接続端子４を取付ける。
【００３９】  前記端子ネジの締め付けが完了し、この完了位置で前記規制板１１を前記側壁３、３間に挿入し、前記端子ネジ５の前記頭部６に前記規制板１１の前記開口１１ａを嵌合する。この際、端子ネジの締め付け完了位置に係わることなく、前記規制板１１を前記側壁３、３間に挿入しても、前記規制板１１の前記開口１１ａが前記端子ネジ５の前記頭部６に嵌合できる。
【００４０】  端子台装置を備える設備の振動が前記端子台本体１に伝わり、前記接続端子４を取付ける前記端子ネジ５の回りが生じても、前記端子ネジ５の前記頭部６に嵌合する前記規制板１１の端面が前記側壁３，３に当接して回り止めされており、前記端子ネジ５が緩み接続端子４が端子台本体１の基台２より外れることがなくなる。なお、前記端子ネジ５の前記頭部６を歯車の歯形のような非円形状にしてもよい。
【産業上の利用可能性】
【００４１】  この発明は、配線の端部に備えた接続端子を取付ける端子ネジが振動などで緩むことを確実に防ぎ、前記接続端子が前記端子台本体より外れないようにする端子台装置である。
【符号の説明】
【００４２】  １      端子台本体
２      基台
３      側壁
３ａ    突起
４      接続端子
５      端子ネジ
６      頭部
６ａ    上面
６ｂ    座面
６ｃ    外周セレーション
６ｄ    ネジ回し具用穴
６ｅ    窪み
７      ネジ部
８      敷板
９      押し板
１０    座金
１１    規制板
１１ａ  開口
１１ｂ  内周セレーション
１１ｃ  突出縁
１１ｄ  Ｖ溝
１２    弾性体
Ｂ      規制板の幅
Ｗ      弾性体の幅
【要約】
【課題】配線の端部に備えた接続端子を取付ける端子ネジの緩みを防ぎ、接続端子が端子台本体から外れることがない端子台装置を提供する。
【解決手段】配線の端部の接続端子４を端子ネジ５により取付ける絶縁プラスチック製の端子台本体１であって、前記端子ネジ５の頭部６を非円形状とし、前記端子台本体１の基台２から突出する左右一対の側壁３、３の間隔と略同じ幅Ｂよりなる規制板１１に前記端子ネジ５の前記頭部６と同一形状の開口１１ａを設け、前記規制板１１を前記側壁３、３間に挿入して前記開口１１ａを前記端子ネジ５の前記頭部６に嵌合させてなる。
【選択図】図１【図１】
0005990864.tif 000002
【図２】
0005990864.tif 000003
【図３】
0005990864.tif 000004
【図４】
0005990864.tif 000005
【図５】
0005990864.tif 000006
【図６】
0005990864.tif 000007
【図７】
0005990864.tif 000008
【図８】
0005990864.tif 000009
【図９】
0005990864.tif 000010